(57)【要約】【課題】不要な被写体からのタグ情報取得を制限し、主被写体からの正確なタグ情報取得を可能とする技術を提供する。【解決手段】無線ＩＣタグリーダ２１は、狭指向性アンテナ５１と駆動部５２とデータ解析部５３とを備えている。狭指向性アンテナ５１は、無線ＩＣタグとの交信アンテナとして機能し、一方向に極めて強い指向性（狭指向性）を有し、また、駆動部５２は、全体制御部からの命令を受けて、アンテナ５１を走査駆動する機能を有している。このため、駆動部５２によってアンテナ５１の走査領域を調節することで、交信を行う領域を自由に選択することが可能となる。これにより、ズーム後の撮影領域Ｒ１を走査領域として駆動部５２によりアンテナ５１を走査駆動すると、使用者（ユーザ）がズーム操作によって主被写体とした物体ＯＢ１のタグ情報のみを特定して受信することが可能となる。【選択図】図７
2006222825.tif 000002
【特許請求の範囲】
【請求項１】
撮像装置であって、
被写体が有する無線ＩＣタグとの間で無線交信を行う交信手段と、
撮影時の撮影条件に基づいて、前記交信手段による被写界における交信対象領域を調整する調整手段と、
を備えることを特徴とする撮像装置。
【請求項２】
請求項１に記載の撮像装置において、
前記無線ＩＣタグに記録された被写体情報を、前記交信手段を用いた無線交信によって、前記無線ＩＣタグから取得する取得手段、
をさらに備えることを特徴とする撮像装置。
【請求項３】
請求項１又は請求項２に記載の撮像装置において、
前記撮影条件は、焦点距離情報を含み、
前記調整手段は、前記焦点距離情報に基づいて前記交信対象領域を調整することを特徴とする撮像装置。
【請求項４】
請求項１又は請求項２に記載の撮像装置において、
前記撮影条件は、複数の焦点検出領域に関する焦点調節情報を含み、
前記調整手段は、前記焦点調節情報に基づいて前記交信対象領域を調整することを特徴とする撮像装置。
【請求項５】
請求項１又は請求項２に記載の撮像装置において、
前記撮影条件は、複数の焦点検出領域に関する焦点調節情報を含み、
前記調整手段は、前記複数の焦点検出領域のうち焦点調節を行う焦点調節対象領域を前記交信対象領域として決定することを特徴とする撮像装置。
【請求項６】
請求項１ないし請求項５のいずれかに記載の撮像装置において、
前記交信手段は、交信アンテナと前記交信アンテナを走査処理する駆動手段とを有し、
前記調整手段は、前記駆動手段を制御することによって前記交信対象領域を調整することを特徴とする撮像装置。
【請求項７】
請求項１ないし請求項５のいずれかに記載の撮像装置において、
前記無線ＩＣタグからの情報受信強度を表示する表示手段、
をさらに備えることを特徴とする撮像装置。
【発明の詳細な説明】
【技術分野】
【０００１】
本発明は、無線ＩＣタグとの交信を行う撮像装置に関する。
【背景技術】
【０００２】
近年、バーコードに代わる商品識別或いは管理技術として、無線ＩＣタグが実用化されつつある。無線ＩＣタグは、取り付ける対象物の識別番号（ＩＤ）或いは価格等の属性情報を格納することが可能であり、これにより使用者は、無線ＩＣタグに格納されている当該属性情報を、無線ＩＣタグリーダを用いることにより無線通信で読み取ることができる。
【０００３】
上述の無線ＩＣタグを有する対象物を、無線ＩＣタグリーダを備えた撮像装置を用いて撮影した場合、使用者は撮影画像データを取得するとともに、被写体情報も取得することが可能となる（特許文献１参照）。
【０００４】
【特許文献１】特開２００３−１７４５７８号公報
【発明の開示】
【発明が解決しようとする課題】
【０００５】
しかしながら、上記撮像装置の被写界内に無線ＩＣタグを備えた複数の被写体が存在する場合、使用者が主被写体とする対象物以外からの不要な被写体情報を取得してしまうという問題がある。
【０００６】
そこで、本発明は、上記課題に鑑みてなされたものであり、使用者が主被写体と認識する対象物からの情報を効率的に読み取り、正確な主被写体情報を取得することを可能とする技術を提供することを課題とする。
【課題を解決するための手段】
【０００７】
上記の課題を解決するため、請求項１の発明は、撮像装置であって、被写体が有する無線ＩＣタグとの間で無線交信を行う交信手段と、撮影時の撮影条件に基づいて、前記交信手段による被写界における交信対象領域を調整する調整手段とを備えることを特徴とする。
【０００８】
また、請求項２の発明は、請求項１の発明に係る撮像装置において、前記無線ＩＣタグに記録された被写体情報を、前記交信手段を用いた無線交信によって、前記無線ＩＣタグから取得する取得手段、をさらに備えることを特徴とする。
【０００９】
また、請求項３の発明は、請求項１又は請求項２の発明に係る撮像装置において、前記撮影条件は、焦点距離情報を含み、前記調整手段は、前記焦点距離情報に基づいて前記交信対象領域を調整することを特徴とする。
【００１０】
また、請求項４の発明は、請求項１又は請求項２の発明に係る撮像装置において、前記撮影条件は、複数の焦点検出領域に関する焦点調節情報を含み、前記調整手段は、前記焦点調節情報に基づいて前記交信対象領域を調整することを特徴とする。
【００１１】
また、請求項５の発明は、請求項１又は請求項２の発明に係る撮像装置において、前記撮影条件は、複数の焦点検出領域に関する焦点調節情報を含み、前記調整手段は、前記複数の焦点検出領域のうち焦点調節を行う焦点調節対象領域を前記交信対象領域として決定することを特徴とする。
【００１２】
また、請求項６の発明は、請求項１ないし請求項５のいずれかの発明に係る撮像装置において、前記交信手段は、交信アンテナと前記交信アンテナを走査処理する駆動手段とを有し、前記調整手段は、前記駆動手段を制御することによって前記交信対象領域を調整することを特徴とする。
【００１３】
また、請求項７の発明は、請求項１ないし請求項５のいずれかの発明に係る撮像装置において、前記無線ＩＣタグからの情報受信強度を表示する表示手段、をさらに備えることを特徴とする。
【発明の効果】
【００１４】
請求項１から請求項７に記載の発明によれば、撮影時の撮影条件に基づいて無線ＩＣタグリーダの被写界における交信対象領域を調整することができるので、被写界内に無線ＩＣタグを備えた複数の被写体が存在する場合にも、使用者は主被写体からの被写体情報を効率的に読み取ることができる。
【発明を実施するための最良の形態】
【００１５】
以下、本発明の実施形態を図面に基づいて説明する。
【００１６】
＜１．第１の実施の形態＞
＜概要＞
図１は、被写体に備え付けられる無線ＩＣタグ１１の構成を示す図である。図２は、無線ＩＣタグ１１内のＩＣチップ１２に保存されている情報（以下、「タグ情報」とも称する）の一例を示す図である。
【００１７】
図１に示すように、無線ＩＣタグ１１は、ＩＣチップ１２とタグアンテナ１３とを備えている。ＩＣチップ１２は、パッケージされた半導体集積回路で構成されており、図２に示されるようなタグ情報を保持（格納）することができる。尚、タグ情報には、無線ＩＣタグ１１を備え付けている被写体の属性情報（以下、「被写体情報」とも称する）、例えば、当該被写体の製造メーカ、商品コード又は製造年月日等が含まれている。
【００１８】
また、無線ＩＣタグは、ＩＣタグ内に電源を持たず外部のリーダ／ライタから発信された電波のエネルギーを利用してタグ情報を送信する電源非内蔵タイプ（パッシブタイプ）と、ＩＣタグ内に電源を持ち能動的にタグ情報を送信できる電源内蔵タイプ（アクティブタイプ）とに分けられる。
【００１９】
図３は、本発明に係る撮像装置２０の外観構成を示す図であり、図３（ａ）は正面図、図３（ｂ）は、背面図である。
【００２０】
図３（ａ）及び図３（ｂ）に示すように、撮像装置２０は、その背面にＬＣＤ２２と操作ボタン群２３とを備え、その上部に無線ＩＣタグリーダ２１とシャッタボタン（レリーズＳＷ）（不図示）とを備えている。無線ＩＣタグリーダ２１は、撮像装置２０の上部に設けられたアクセサリーシュー（フラッシュシュー）に対して着脱可能に装着される。尚、無線ＩＣタグリーダ２１の装着位置は、アクセサリーシュー（フラッシュシュー）に限定されない。例えば、無線ＩＣタグリーダ２１を撮像装置２０に内蔵するようにしてもよい。
【００２１】
無線ＩＣタグリーダ２１は、無線ＩＣタグ１１との間で電波を介して無線交信可能な装置であり、無線ＩＣタグ１１が有するタグ情報を取得する機能を有している。尚、この無線ＩＣタグリーダ２１は、いわゆるパッシブタイプの無線ＩＣタグ１１に対する電源供給をも行う。無線ＩＣタグリーダ２１の内部構成については後述する。
【００２２】
図３（ｂ）中のＬＣＤ２２は、液晶及び光源を用いて構成される表示部である。ＬＣＤ２２では、ライブビュー画像表示、記録画像の再生表示、又は、設定メニュー表示等が行われる。
【００２３】
操作ボタン群２３は、撮像装置２０の動作環境の設定をするメニューボタン２３ａ、ズーム操作などに用いられる十字キー２３ｂ及び撮像装置２０の動作モードを選択する撮影／再生モード選択スイッチ２３ｃ等からなる。
【００２４】
次に、撮像装置２０の内部構成について説明する。図４は、撮像装置２０の内部機能を示すブロック図である。
【００２５】
ズーム制御部３１は、レンズ光学系に存在するズームレンズ３４を操作者（ユーザ）等の指示に応じて駆動し、焦点距離（すなわち画角）を変更する機能を有している。また、焦点調節部３２は、レンズ光学系に存在するフォーカスレンズ３５を駆動して、被写体を合焦状態に導く機能を有している。
【００２６】
露出制御部３３は、撮像部３６において絞りと撮像素子（例えば、ＣＣＤ）（不図示）の露光時間とを調節し、取得される画像を適正な明るさに調節する露出制御を行う機能を有している。
【００２７】
上記レンズ光学系を通して撮像部３６内の撮像素子（ＣＣＤ）により画像データとして取得される被写体像は、撮像部３６内でデジタル信号に変換された後、画像処理部３７において、ホワイトバランス補正、γ補正処理及び色補正処理等が施される。この後、処理済み画像データは、所定タイミングで記録媒体３８に書き込まれ、また、ライブビュー表示用画像としてＬＣＤ２２に表示される。
【００２８】
操作部３９は、ユーザが操作入力可能なボタンやスイッチ等によって構成され、操作ボタン群２３、電源スイッチ、ユーザが撮影タイミングを指示するためのシャッタボタン（レリーズＳＷ）、及び、撮影／再生モード選択スイッチ２３ｃ等を含んでいる。尚、シャッタボタン（レリーズＳＷ）は、ユーザ操作による半押し状態（以下、Ｓ１状態とも称する）と全押し状態（以下、Ｓ２状態とも称する）とを区別して検出可能な２段階押し込みスイッチとして機能する。全押し（Ｓ２）状態が検出されるとレリーズＳＷがオン（ＯＮ）されたと判定され、本撮影が開始される。
【００２９】
電力供給源として利用する電源部４１は、全体制御部４０を始めとする撮像装置２０の上記各部に動作電力を供給する。
【００３０】
全体制御部４０は、内部にＲＡＭ４０ａ及びＲＯＭ４０ｂを備えたマイクロコンピュータによって構成され、予めＲＯＭ４０ｂ内に記憶されている制御プログラムをマイクロコンピュータが実行することにより、上記各部を統括的に制御する機能を有している。
【００３１】
次に、無線ＩＣタグリーダ２１について説明する。図５は、無線ＩＣタグリーダ２１の内部構成を示す図である。
【００３２】
図５に示されるように、無線ＩＣタグリーダ２１は、狭指向性アンテナ５１（以下、単に「アンテナ」とも称する）と駆動部５２とデータ解析部５３とを備えている。
【００３３】
アンテナ５１は、無線ＩＣタグ１１との交信アンテナとして機能し、一方向に極めて強い指向性（狭指向性）を有し、また、駆動部５２は、当該アンテナ５１を、全体制御部４０によって指定された領域内（以下、「走査領域ＲＳ」とも称する）を走査処理するように駆動（走査駆動）する機能を有している。このため、全体制御部４０において、被写界において撮像装置２０との交信の対象となる領域（以下、「交信対象領域」とも称する）を自由に調整することが可能となる。すなわち、走査領域ＲＳは交信対象領域に相当するため、アンテナ５１の走査領域ＲＳの位置及び大きさを変更することによって、被写界における交信対象領域を変更することが可能になる。
【００３４】
そして、交信によって無線ＩＣタグ１１から取得された情報は、データ解析部５３において解析され、全体制御部４０に送信される。
【００３５】
以下、上述の機能を備えた撮像装置２０の動作について説明する。
【００３６】
＜動作＞
図６は、撮影時の撮影条件の一つである焦点距離情報に基づいて無線ＩＣタグリーダ２１の走査領域ＲＳを変更する動作を示すフローチャートである。
【００３７】
まず、操作者（ユーザ）によって撮像装置２０の電源がオン（ＯＮ）されると（ステップＳ６０）、無線ＩＣタグリーダ２１に電力が供給され、撮像装置２０は無線ＩＣタグ１１との交信が可能な状態になる（ステップＳ６１）。
【００３８】
次に、再生モード及び撮影モードのいずれが選択されているか否かを判別し（ステップＳ６２）、再生モードが選択されている場合には、再生モードに移行して再生モードの各処理（不図示）を行い、撮影モードが選択されている場合には、撮影モードに移行してステップＳ６３以降の各処理を行う。ここでは、撮影モードが選択されているものとして説明を続ける。
【００３９】
ステップＳ６３においては、ライブビュー表示用の画像が撮像部３６によって撮像される。撮像部３６により撮像された被写体像は、画像処理部３７等において所定の処理が施された後、ＬＣＤ２２にライブビュー表示される（ステップＳ６４）。
【００４０】
そして、ズームスイッチがオン（ＯＮ）されたか否かが判別され（ステップＳ６５）、ズームスイッチがオン（ＯＮ）されていなければ、ステップＳ６９に移行し、ズームスイッチがオン（ＯＮ）されたと判別される場合には、ズーム操作後の焦点距離が検出される（ステップＳ６６）。
【００４１】
撮像装置２０は、ステップＳ６６において検出された焦点距離からズーム操作後の画角ＶＧ１を取得し（図７参照）、取得したズーム操作後の画角ＶＧ１に基づいて無線ＩＣタグリーダ２１の走査領域ＲＳを決定し、駆動部５２により走査駆動する（ステップＳ６７）。
【００４２】
ここで、ズーム操作後の画角ＶＧ１と走査領域ＲＳとについて詳述する。図７は、ズーム操作前とズーム操作後との撮影領域を対比して示す図である。
【００４３】
図７に示されるように、ズーム操作前の画角ＶＧ２に対応する撮影領域Ｒ２に物体ＯＢ１及び物体ＯＢ２が含まれていた場合、使用者（ユーザ）のズーム操作によって画角ＶＧ２が画角ＶＧ１に変更されたとすると、カメラによる撮影領域は、ズーム操作後の画角ＶＧ１に対応する撮影領域Ｒ１に変更される。そして、撮影時の撮影条件に相当するズーム後の撮影領域Ｒ１を走査領域ＲＳとして駆動部５２によりアンテナ５１を走査駆動すると、撮像装置２０は、ユーザがズーム操作によって主被写体とした物体ＯＢ１のタグ情報を受信することができる。また、ズーム操作前の撮影領域Ｒ２に含まれていた物体ＯＢ２は、ズーム操作後の撮影領域Ｒ１には含まれなくなるため、撮像装置２０は物体ＯＢ２からのタグ情報を受信しなくなる。すなわち、撮像装置２０は、撮影対象の被写体からのタグ情報を受信する一方で、撮影対象以外の被写体からのタグ情報を受信せず、交信対象とする被写体を複数の被写体の中から絞り込むことが可能である。尚、画角ＶＧ１は、ズーム操作後の焦点距離に対応する値であり、ズームレンズ位置から一意に導出することができる。
【００４４】
ステップＳ６７において上記走査領域ＲＳを走査駆動した結果、被写体のタグ情報が受信されると、当該受信情報がデータ解析部５３において解析される（ステップＳ６８）。
【００４５】
次に、シャッタボタン（レリーズＳＷ）が、オン（ＯＮ）されたか否かを判定し（ステップＳ６９）、オン（ＯＮ）されていなければ、ステップＳ６２に再度移行し、オン（ＯＮ）されたと判定される場合には本撮影及びタグ情報の記録が行われる（ステップＳ７０）。具体的には、本撮影画像の画像データを記録するとともに、ステップＳ６８において取得したタグ情報も、該当する画像データに対応した状態で記録媒体３８に記録される。
【００４６】
その後、電源がオフ（ＯＦＦ）されたか否かを判定し（ステップＳ７１）、オフ（ＯＦＦ）されていなければ、ステップＳ６２に再度移行し、オフ（ＯＦＦ）されたと判定される場合には、無線ＩＣタグリーダ２１への給電を停止し（ステップＳ７２）、撮影動作を終了する。
【００４７】
以上のように、撮影時の使用者（ユーザ）が行うズーム操作における焦点距離情報に基づいて、無線ＩＣタグリーダ２１の走査領域ＲＳを決定することで、交信対象領域を主被写体を含む適切な領域に調整することが可能となり、不要な物体からのタグ情報の受信を制限し、主被写体からのタグ情報のみを特定して取得することが可能となる。
【００４８】
＜２．第２の実施の形態＞
次に、本発明の第２の実施の形態について説明する。上記第１実施形態においては、焦点距離情報に基づいて無線ＩＣタグリーダ２１の走査領域ＲＳを決定していたが、第２実施形態では、撮影時の撮影条件の一つである焦点調節情報に基づいて無線ＩＣタグリーダ２１の走査領域ＲＳを決定する。
【００４９】
本発明の第２実施形態に係る撮像装置は、図３〜図５に示す第１実施形態の撮像装置２０と同様の構成を有している。以下では、第１実施形態との相違点を中心に説明し、共通する部分については、同じ符号を付して説明を省略する。
【００５０】
図８は、焦点調節情報に基づいて無線ＩＣタグリーダ２１の走査領域ＲＳを決定する動作を示すフローチャートである。尚、図８中のステップＳ８０〜Ｓ８４及びステップＳ８９〜Ｓ９２は、それぞれ、図６中のステップＳ６０〜Ｓ６４及びステップＳ６９〜Ｓ７２と同様の処理が行われるため、当該共通する工程についての説明は省略する。
【００５１】
図８に示されるように、ステップＳ８４においてライブビュー表示が開始された後、撮影領域内の３つの領域（以下、「焦点検出領域」或いは「ＡＦエリア」とも称する）Ｒ３、Ｒ４及びＲ５（図９参照）において、焦点検出が行われる（ステップＳ８５）。
【００５２】
そして、上述した焦点検出結果に基づいて、３つの焦点検出領域Ｒ３、Ｒ４、Ｒ５のいずれかが、焦点調節を行う対象領域（以下、「焦点調節対象領域」とも称する）として決定され、フォーカスレンズ３５を駆動することによって焦点調節つまり合焦が行われる（ステップＳ８６）。
【００５３】
ステップＳ８６において決定された焦点調節対象領域に基づいて、無線ＩＣタグリーダ２１の走査領域ＲＳが決定され、駆動部５２によりアンテナ５１が走査駆動される（ステップＳ８７）。
【００５４】
ステップＳ８７において上記走査領域ＲＳを走査駆動した結果、被写体のタグ情報が受信されると、当該受信情報がデータ解析部５３において解析される（ステップＳ８８）。
【００５５】
ここで、図９を用いて焦点調節対象領域と走査領域ＲＳの決定とについて詳述する。図９は、３つの焦点検出領域と走査領域ＲＳとを示す図である。
【００５６】
図９に示されるように、撮像装置２０の撮影領域Ｒ２に、物体ＯＢ３、物体ＯＢ４及び物体ＯＢ５が含まれているとする。撮像装置２０では、３つの焦点検出領域Ｒ３、Ｒ４及びＲ５において、合焦のための焦点検出が実行される。具体的には、撮像装置２０において実行されるコントラスト（山登り）方式の自動合焦では、フォーカスレンズ３５を駆動することにより前述の３つの領域Ｒ３、Ｒ４、Ｒ５のそれぞれにおいて、コントラストの高い位置つまり合焦位置が検出される。より詳細には、複数のレンズ位置に対応する画像を取得し、各画像のコントラストを算出する。そして、複数の画像のうち最もそのコントラストが高い画像に対応するレンズ位置（フォーカスレンズ３５の位置）が合焦位置として求められる。このような合焦位置は、３つの領域（ＡＦエリア）Ｒ３、Ｒ４、Ｒ５のそれぞれについて求められる。すなわち、複数のレンズ位置に対応する画像のコントラストがＡＦエリアごとに算出され、ＡＦエリアごとに最もそのコントラストが高い画像に対応するレンズ位置が当該ＡＦエリアについての合焦位置として求められる。
【００５７】
さらに、撮像装置２０は、３つの領域から最終的には１つの領域を選択し、当該選択領域の合焦位置を、撮影領域Ｒ２の合焦地点として自動合焦を行っている。上述の３つの焦点検出領域から１つの領域（焦点調節対象領域）を選択する方法としては、撮像装置２０から各領域に存在する被写体までの距離が最短となるような被写体を含んでいる焦点検出領域を焦点調節対象領域として選択する「近優先」の手法などがある。
【００５８】
例えば、図９中の３つの焦点検出領域のうち、領域Ｒ３に含まれる物体ＯＢ３が撮像装置２０から最も近い場所に存在する場合、撮像装置２０では、３つの領域Ｒ３、Ｒ４及びＲ５において、合焦のための焦点検出が実行され、物体ＯＢ３が撮像装置２０から最も近くに存在する物体であると認識される。これにより、撮像装置２０は、物体ＯＢ３を主被写体と認識し、当該選択領域つまり焦点検出領域Ｒ３における合焦地点を、撮像装置２０全体の合焦地点として合焦を行う。
【００５９】
さらに、上記合焦における焦点調節対象領域Ｒ３を、無線ＩＣタグリーダ２１の走査領域ＲＳと決定し、駆動部５２によりアンテナ５１が走査駆動される。これにより、撮像装置２０が主被写体と認識した物体ＯＢ３からのタグ情報を取得することが可能となる。
【００６０】
尚、焦点調節対象領域を選択する手法として、「近優先」の手法を例示したがこれに限定されるものではない。例えば、３つの領域のうち合焦時のコントラストが最も高い領域を焦点調節対象領域とする手法、或いは、使用者（ユーザ）が焦点調節対象領域を選択決定する手法を用いるようにしてもよい。また、撮像装置２０が有する焦点検出領域の数は、３に限定されるものではなく、２或いは４以上であってもよい。
【００６１】
以上のように、撮影時の撮影条件に相当する焦点検出結果つまり焦点調節情報に基づいて、無線ＩＣタグリーダ２１の走査領域ＲＳを決定することで、被写界における交信対象領域を、主被写体を含む適切な領域に調整することが可能となり、不要な物体からのタグ情報の受信を制限し、主被写体からのタグ情報のみを特定して取得することが可能となる。
【００６２】
＜３．第３の実施の形態＞
次に、本発明の第３の実施の形態について説明する。上記第２実施形態においては、焦点調節情報に基づいて無線ＩＣタグリーダ２１の走査領域ＲＳを決定していたが、第３実施形態では、第２実施形態の焦点調節情報に加えて、撮影時の撮影条件の一つである被写体からの電波受信強度に基づいて無線ＩＣタグリーダ２１の走査領域ＲＳを決定する。
【００６３】
本発明の第３実施形態に係る撮像装置は、図３〜図５に示す第１実施形態の撮像装置２０と同様の構成を有している。以下では、第１実施形態との相違点を中心に説明し、共通する部分については、同じ符号を付して説明を省略する。
【００６４】
図１０は、焦点調節情報及び電波受信強度に基づいて無線ＩＣタグリーダ２１の走査領域ＲＳを決定する動作を示すフローチャートである。尚、図１０中のステップＳ１００〜Ｓ１０４及びステップＳ１１２〜Ｓ１１５は、それぞれ、図６中のステップＳ６０〜Ｓ６４及びステップＳ６９〜Ｓ７２と同様の処理が行われるため、当該共通する工程についての説明は省略する。
【００６５】
図１０に示されるように、ステップＳ１０４においてライブビュー表示が開始された後、撮影領域内の３つの領域Ｒ３、Ｒ４及びＲ５において、焦点検出が実行され各領域に含まれる各被写体までの撮像装置２０からの距離が算出される（ステップＳ１０５）。
【００６６】
ステップＳ１０５において算出された被写体距離を基にして、所定距離範囲内（すなわち、所定距離Ｌ１よりも近い位置）に存在する被写体を含む領域を選択する（ステップＳ１０６）。尚、上記所定距離Ｌ１は、無線ＩＣタグ１１と無線ＩＣタグリーダ２１との間において情報送受信が可能な距離を基に決定される値である。所定距離Ｌ１は、撮像装置２０において固定された値であってもよく、或いは、使用者（ユーザ）によって任意に設定変更可能な値であってもよい。
【００６７】
次に、ステップＳ１０６において選択された領域に対して無線ＩＣタグリーダ２１のアンテナ５１を走査駆動する（ステップＳ１０７）。そして、走査駆動によって受信したタグ情報の情報受信強度（情報受信レベル）を比較し（ステップＳ１０８）、受信強度が最も高い被写体を主被写体と特定し、特定された主被写体に対して焦点調節すなわち合焦を行う（ステップＳ１０９）。
【００６８】
焦点調節後、主被写体を含む領域に対して無線ＩＣタグリーダ２１のアンテナ５１を走査駆動し（ステップＳ１１０）、再度タグ情報を受信する（ステップＳ１１１）。
【００６９】
ここで、図１１を用いて、上述したステップＳ１０５からステップＳ１１１について詳述する。図１１は、撮影領域内の各焦点検出領域におけるタグ情報の受信強度を表示するＬＣＤ画面を示す図である。
【００７０】
図１１に示されるように、撮像装置２０の撮影領域Ｒ２に、物体ＯＢ６、物体ＯＢ７及び物体ＯＢ８が含まれている。また、物体ＯＢ７は所定距離範囲外（すなわち、所定距離Ｌ１よりも遠い位置）に存在するとする。この場合、撮像装置２０では、３つの領域Ｒ３、Ｒ４及びＲ５において、焦点検出が実行され、撮像装置２０から各領域に含まれている被写体（ここでは、物体ＯＢ６、ＯＢ７及びＯＢ８）までの距離が算出される。算出された距離情報から領域Ｒ４に存在する物体ＯＢ７は、所定距離範囲外に存在する被写体であると認識される。一方、所定距離範囲内であると認識された被写体ＯＢ６及びＯＢ８を含む領域Ｒ３及びＲ５では、各領域ごとに無線ＩＣタグリーダ２１のアンテナ５１が走査駆動される。この走査駆動により各被写体が有するタグ情報を受信する際の情報受信レベルが、各領域ごとにレベル表示ＬＶとしてＬＣＤ画面上に表示される。そして、各領域における情報受信レベルが比較され、領域Ｒ３における物体ＯＢ６からの情報受信レベルが領域Ｒ５における物体ＯＢ８からの情報受信レベルよりも高い場合、領域Ｒ３における物体ＯＢ６を主被写体と特定し、特定した被写体ＯＢ６に対して合焦が行われる。また、被写体ＯＢ６を含む領域Ｒ３に対して無線ＩＣタグリーダ２１のアンテナ５１を走査駆動し、再度タグ情報を受信する。
【００７１】
以上のように、撮影時の撮影条件に相当する焦点調節情報及び電波受信強度に基づいて、無線ＩＣタグリーダ２１の走査領域ＲＳを決定することで、被写界における交信対象領域を、主被写体を含む適切な領域に調整することが可能となり、不要な物体からのタグ情報の受信を制限し、主被写体からのタグ情報のみを特定して取得することが可能となる。
【００７２】
また、図１１に示すように、各領域ごとにタグ情報の情報受信レベルを表示することにより、手動で主被写体を決定する際の目安とすることもできる。
【００７３】
尚、本実施形態において、所定距離範囲内であると認識された被写体の存在する領域が１つである場合には、情報受信レベルの比較を行うことなく、所定距離範囲内の被写体が存在する領域において無線ＩＣタグリーダ２１のアンテナ５１を走査駆動する。
【００７４】
＜４．変形例＞
以上、この発明の実施形態について説明したが、この発明は、上記に説明した内容に限定されるものではない。
【００７５】
例えば、上記第１実施形態においては、光学ズーム操作実行時の焦点距離情報に基づいて、無線ＩＣタグリーダ２１の走査領域ＲＳを決定していたが、これに限定されない。具体的には、電子（デジタル）ズーム操作が実行された場合にも、電子ズーム操作時の焦点距離情報と電子ズーム倍率とに基づいて無線ＩＣタグリーダ２１の走査領域ＲＳを決定してもよい。
【００７６】
より詳細には、図１２を用いて以下に説明する。図１２は、撮影領域と電子ズーム操作による拡大領域（以下、「電子ズーム領域」とも称する）とを示す図である。
【００７７】
図１２に示されるように、撮影領域Ｒ２に物体ＯＢ１と物体ＯＢ２とが含まれていた場合において、使用者（ユーザ）は、主被写体を物体ＯＢ１と特定し、物体ＯＢ１を含む領域Ｒ６を電子ズーム操作によって撮影領域Ｒ２内から切り出し、当該領域を電子ズーム領域としたとする。
【００７８】
この場合、撮影時の電子ズーム領域Ｒ６を走査領域ＲＳとして駆動部５２によりアンテナ５１を走査駆動すると、撮像装置２０は、ユーザが主被写体として選択した物体ＯＢ１のタグ情報を受信することができる。また、撮影領域Ｒ２に含まれていた物体ＯＢ２は、電子ズーム領域Ｒ６には含まれなくなるので、物体ＯＢ２からのタグ情報を受信せずに済む。尚、電子ズーム領域Ｒ６は、電子ズーム領域Ｒ６を表すズーム領域角ＶＧ３によって特定することが可能であり、ズーム領域角ＶＧ３は、電子ズーム操作時の焦点距離情報と電子ズーム倍率とから導出することができる。
【００７９】
以上のように、撮影時の撮影条件に相当する電子ズーム操作時の焦点距離情報と電子ズーム倍率とに基づいて、無線ＩＣタグリーダ２１の走査領域ＲＳを決定することで、被写界における交信対象領域を主被写体を含む適切な領域に調整することが可能となり、不要な物体からのタグ情報の受信を制限し、主被写体からのタグ情報のみを特定して取得することが可能となる。
【００８０】
また、上記各実施形態においては、パッシブタイプの無線ＩＣタグ１１について例示したが、電池を内蔵したアクティブタイプの無線ＩＣタグとの間で無線交信を行う場合にも本発明を適用することが可能である。
【図面の簡単な説明】
【００８１】
【図１】被写体に備え付けられる無線ＩＣタグの構成を示す図である。
【図２】無線ＩＣタグ内のＩＣチップに保存されているタグ情報の一例を示す図である。
【図３】本発明に係る撮像装置の外観構成を示す図である。
【図４】本発明に係る撮像装置の内部機能を示すブロック図である。
【図５】無線ＩＣタグリーダの内部構成を示す図である。
【図６】焦点距離情報に基づいて無線ＩＣタグリーダのアンテナ走査領域を変更する動作を示すフローチャートである。
【図７】ズーム操作前とズーム操作後との撮影領域を示す図である。
【図８】焦点調節情報に基づいて無線ＩＣタグリーダの走査領域を決定する動作を示すフローチャートである。
【図９】焦点検出領域とアンテナ走査領域とを示す図である。
【図１０】焦点調節情報及び電波受信強度に基づいて無線ＩＣタグリーダの走査領域を決定する動作を示すフローチャートである。
【図１１】撮影領域内の各焦点検出領域におけるタグ情報の受信強度を表示するＬＣＤ画面を示す図である。
【図１２】撮影領域と電子ズーム操作による拡大領域とを示す図である。
【符号の説明】
【００８２】
１１  無線ＩＣタグ
１２  ＩＣチップ
２０  撮像装置
２１  無線ＩＣタグリーダ
２３  操作ボタン群
２３ａ  メニューボタン
２３ｂ  十字キー
２３ｃ  撮影／再生モード選択スイッチ
５１  狭指向性アンテナ
５２  駆動部
５３  データ解析部
【図１】
2006222825.tif 000003
【図２】
2006222825.tif 000004
【図３】
2006222825.tif 000005
【図４】
2006222825.tif 000006
【図５】
2006222825.tif 000007
【図６】
2006222825.tif 000008
【図７】
2006222825.tif 000009
【図８】
2006222825.tif 000010
【図９】
2006222825.tif 000011
【図１０】
2006222825.tif 000012
【図１１】
2006222825.tif 000013
【図１２】
2006222825.tif 000014